(57)【要約】【課題】回転体をカバーするカバー部材と被カバー部材とを互いに取り外した際に、雄ねじ部材が紛失することを好適に防止できる締結構造を提供する。【解決手段】保持部材４０２と、保持部材４０２の一端側に回動可能な状態で保持される雄ねじ部材４０３と、第一部材４０１に開口され、雄ねじ部材４０３が挿通される第一挿通部４０１ａと、第二部材４１０に備えられ、雄ねじ部材４０３と締結可能な雌ねじ部材４０５と、第一部材４０１に開口される貫通部４０１ｂと、貫通部４０１ｂを通過せず、第一部材４０１から保持部材４０２が離脱することを防止する幅広部４０２ｆと、が備えられ、保持部材４０２が、貫通部４０１ｂによって、雄ねじ部材４０３の軸芯方向に沿ってスライド可能に構成されている。【選択図】図４
2015156808.tif 000002
【特許請求の範囲】
【請求項１】
回転体をカバーするカバー部材と被カバー部材のいずれか一方である第一部材と、前記カバー部材と前記被カバー部材のいずれか他方である第二部材と、を締結する締結構造であって、
保持部材と、
前記保持部材の一端側に回動可能な状態で保持される雄ねじ部材と、
前記第一部材に開口され、前記雄ねじ部材が挿通される第一挿通部と、
前記第二部材に備えられ、前記雄ねじ部材と締結可能な雌ねじ部材と、
前記第一部材または前記保持部材に開口される貫通部と、
前記貫通部を通過せず、前記第一部材または前記第二部材のいずれかから前記保持部材が離脱することを防止する第一抜け止め部と、が備えられ、
前記保持部材が、前記貫通部によって、前記雄ねじ部材の軸芯方向に沿ってスライド可能に構成されている締結構造。
【請求項２】
前記第一部材に、前記貫通部が開口され、
前記保持部材が、前記貫通部に貫通され、
前記第一抜け止め部が、前記貫通部に対して、前記保持部材の一端側とは反対側に位置する、前記保持部材の他端側に備えられている請求項１に記載の締結構造。
【請求項３】
前記保持部材に、前記保持部材の一端側に対して屈曲される第一屈曲部と、前記第一屈曲部から一端が延出され、前記貫通部においてスライド可能なスライド部と、前記スライド部の他端において前記スライド部に対して屈曲される第二屈曲部と、前記第二屈曲部から延出される延出部と、が備えられ、
前記第一抜け止め部が、前記延出部に備えられている請求項２に記載の締結構造。
【請求項４】
前記第二屈曲部が、前記保持部材の一端側から離れる側に向けて前記延出部を延出するように屈曲されている請求項３に記載の締結構造。
【請求項５】
前記保持部材に、前記貫通部が開口され、
前記第二部材に、一端側が支持されるガイド部材が備えられ、
前記ガイド部材が、前記貫通部に貫通され、
前記第一抜け止め部が、前記貫通部に対して、前記第二部材とは反対側に位置する、前記ガイド部材の他端側に備えられている請求項１に記載の締結構造。
【請求項６】
前記保持部材及び前記第一抜け止め部が、剛体で構成されている請求項１〜５のいずれか一項に記載の締結構造。
【請求項７】
前記保持部材が、平板で構成されている請求項１〜６のいずれか一項に記載の締結構造。
【請求項８】
前記雄ねじ部材に、頭部と、前記頭部から延びる雄ねじ軸部と、が備えられ、
前記保持部材に、前記雄ねじ軸部を挿通する第二挿通部が備えられ、
前記雄ねじ軸部における前記頭部に対する前記第二挿通部の反対側の部分に、前記第二挿通部よりも大きな寸法とされている第二抜け止め部が備えられている請求項１〜７のいずれか一項に記載の締結構造。
【請求項９】
前記第一抜け止め部が、前記貫通部よりも大きな寸法とされている請求項１〜８のいずれか一項に記載の締結構造。
【発明の詳細な説明】
【技術分野】
【０００１】
本発明は、回転体をカバーするカバー部材と被カバー部材とを締結する締結構造に関する。
【背景技術】
【０００２】
従来の締結構造が、例えば、下記の特許文献１に記載されている。特許文献１に記載されている締結構造は、回転体（特許文献１では、プーリ［５９］等）をカバーするカバー部材（特許文献１では、ベルトカバー〔６３〕）と被カバー部材（特許文献１では、モーアデッキ〔５〕）とを、雄ねじ部材（特許文献１では、ボルト）及び雌ねじ部材（不図示）の締結によって固定するようになっている。
【先行技術文献】
【特許文献】
【０００３】
【特許文献１】特開２００１−２５１９２４号公報（図面の［図１３］、明細書の段落［００２８］）
【発明の概要】
【発明が解決しようとする課題】
【０００４】
しかし、従来の締結構造では、雄ねじ部材と雌ねじ部材とを締結解除した際に、回転体をカバーするカバー部材及び被カバー部材から雄ねじ部材が完全に離脱する構造となっているため、回転体をカバーするカバー部材と被カバー部材とを互いに取り外した際に、雄ねじ部材が紛失するおそれがあった。
【０００５】
上記実情に鑑み、回転体をカバーするカバー部材と被カバー部材とを互いに取り外した際に、雄ねじ部材が紛失することを好適に防止できる締結構造が要望されている。
【課題を解決するための手段】
【０００６】
本発明は、回転体をカバーするカバー部材と被カバー部材のいずれか一方である第一部材と、前記カバー部材と前記被カバー部材のいずれか他方である第二部材と、を締結する締結構造であって、保持部材と、前記保持部材の一端側に回動可能な状態で保持される雄ねじ部材と、前記第一部材に開口され、前記雄ねじ部材が挿通される第一挿通部と、前記第二部材に備えられ、前記雄ねじ部材と締結可能な雌ねじ部材と、前記第一部材または前記保持部材に開口される貫通部と、前記貫通部を通過せず、前記第一部材または前記第二部材のいずれかから前記保持部材が離脱することを防止する第一抜け止め部と、が備えられ、前記保持部材が、前記貫通部によって、前記雄ねじ部材の軸芯方向に沿ってスライド可能に構成されているものである。
【０００７】
本発明によると、回転体をカバーするカバー部材と被カバー部材のいずれか一方である第一部材と、カバー部材と被カバー部材のいずれか他方である第二部材とは、雄ねじ部材と雌ねじ部材とを締結することにより固定され、雄ねじ部材と雌ねじ部材とを締結解除することにより、互いに取り外すことが可能になっている。
第一部材と第二部材とを固定する際は、第一部材に開口される第一挿通部に、保持部材の一端に回動可能に保持されている雄ねじ部材を挿通し、第二部材に備えられる雌ねじ部材に対して、雄ねじ部材を軸心方向に螺進させて、雄ねじ部材と雌ねじ部材とを締結する。この際、雄ねじ部材を回動可能に保持している保持部材が、第一部材と保持部材とのいずれかに開口されている貫通部によって、雄ねじ部材の軸芯方向に沿ってスライド可能になっているので、雄ねじ部材を軸芯方向に沿って案内しながら螺進させて、雄ねじ部材と雌ねじ部材との締結を好適に行うことができる。
一方、第一部材と第二部材とを互いに取り外す際は、雌ねじ部材に対して、雄ねじ部材を軸芯方向に螺退させて、雄ねじ部材と雌ねじ部材とを締結解除する。雄ねじ部材を回動可能に保持している保持部材が、第一部材と保持部材とのいずれかに開口されている貫通部によって、雄ねじ部材の軸芯方向に沿ってスライド可能になっているので、雄ねじ部材を軸芯方向に沿って案内しながら螺退させて、雄ねじ部材と雌ねじ部材との締結解除を好適に行うことができる。
そして、第一部材と第二部材とを互いに取り外した際には、第一抜け止め部が貫通部を通過しないことにより、保持部材が、第一部材または第二部材のいずれかから離脱しないようになっている。これにより、第一部材と第二部材とを互いに取り外した際に、保持部材の一端に回動可能に保持される雄ねじ部材が、第一部材または第二部材のいずれかから離脱しないものにできる。
このように、本発明であれば、回転体をカバーするカバー部材と被カバー部材とを互いに取り外した際に、雄ねじ部材が紛失することを好適に防止できる。
【０００８】
本発明において、前記第一部材に、前記貫通部が開口され、前記保持部材が、前記貫通部に貫通され、前記第一抜け止め部が、前記貫通部に対して、前記保持部材の一端側とは反対側に位置する、前記保持部材の他端側に備えられていると好適である。
【０００９】
上記構成によれば、第一部材に開口された貫通部に保持部材が貫通されている。そして、雄ねじ部材が回動可能に保持される保持部材の一端側とは反対側に位置する保持部材の他端側に第一抜け止め部が備えられている。これにより、雄ねじ部材と雌ねじ部材とを締結解除した際に、保持部材の他端側に備えられている第一抜け止め部が、第一部材に開口された貫通部を通過しないことによって、保持部材が第一部材から離脱しないものとなる。よって、保持部材の一端側に回動可能に保持される雄ねじ部材が、第一部材から離脱しないようにできる。
しかも、第一抜け止め部が備えられている保持部材の他端側は、雄ねじ部材を回動可能に保持する保持部材の一端側に対して、第一部材を挟んだ反対側に位置するものとなる。よって、例えば、雄ねじ部材を保持する保持部材の一端側を、第一部材の外面側に位置させ、第一抜け止め部が備えられる保持部材の他端側を、第一部材の内面側に位置させるようにすれば、保持部材の一部及び第一抜け止め部材が、第一部材の内面側に入り込んで隠れるので、美観的に好ましいものとなる。
【００１０】
本発明において、前記保持部材に、前記保持部材の一端側に対して屈曲される第一屈曲部と、前記第一屈曲部から一端が延出され、前記貫通部においてスライド可能なスライド部と、前記スライド部の他端において前記スライド部に対して屈曲される第二屈曲部と、前記第二屈曲部から延出される延出部と、が備えられ、前記第一抜け止め部が、前記延出部に備えられていると好適である。
【００１１】
上記構成によれば、雄ねじ部材を回動可能な状態で保持している保持部材の一端側から第一屈曲部を介して延出されたスライド部が、第一部材に開口された貫通部をスライドするものとなる。そして、雄ねじ部材と雌ねじ部材とを締結解除した際に、雄ねじ部材を螺退方向に移動させ、貫通部においてスライド部をスライドさせると、スライド部から第二屈曲部を介して延出された延出部側の部分が、第一部材に当接する。よって、保持部材の延出部側の部分によって、保持部材が第一部材の貫通部から離脱することを防止できる。
【００１２】
本発明において、前記第二屈曲部が、前記保持部材の一端側から離れる側に向けて前記延出部を延出するように屈曲されていると好適である。
【００１３】
上記構成によれば、雄ねじ部材と雌ねじ部材とを締結解除した際に、保持部材の一端側から離れる側に向けて延出された保持部材の延出部を、第一部材に開口された貫通部の近傍に移動させて、第一部材に開口された第一挿通部とは反対側に保持部材を傾倒させることにより、保持部材のスライド部を第一部材に支持させることができる。これにより、締結している雄ねじ部材と、締結解除している雄ねじ部材とが、外観上明確に区別可能になるので、被カバー部材に対するカバー部材の着脱作業を円滑に行いうるものにできる。
【００１４】
本発明において、前記保持部材に、前記貫通部が開口され、前記第二部材に、一端側が支持されるガイド部材が備えられ、前記ガイド部材が、前記貫通部に貫通され、前記第一抜け止め部が、前記貫通部に対して、前記第二部材とは反対側に位置する、前記ガイド部材の他端側に備えられていると好適である。
【００１５】
上記構成によれば、保持部材に開口された貫通部に、第二部材に一端が支持されたガイド部材が貫通されている。そして、第一抜け止め部が、貫通部に対して第二部材とは反対側に位置するガイド部材の他端側に備えられている。これにより、雄ねじ部材と雌ねじ部材とを締結解除した際に、第二部材に一端側が支持されたガイド部材の他端側に備えられている第一抜け止め部が、保持部材に開口された貫通部を通過しないことによって、保持部材が第二部材から離脱しないものとなる。よって、保持部材の一端側に回動可能に保持される雄ねじ部材が、第二部材から離脱しないようにできる。
【００１６】
本発明において、前記保持部材及び前記第一抜け止め部が、剛体で構成されていると好適である。
【００１７】
上記構成によれば、保持部材及び第一抜け止め部が、変形しにくい剛体で構成されているので、第一抜け止め部による保持部材の離脱防止を好適になしうる。
【００１８】
本発明において、前記保持部材が、平板で構成されていると好適である。
【００１９】
上記構成によれば、雄ねじ部材を回動可能な状態で保持する保持部材を、曲げ加工等がされた平板で構成することが可能なので、保持部材が簡素となり、製作コストを抑えることができる。
【００２０】
本発明において、前記雄ねじ部材に、頭部と、前記頭部から延びる雄ねじ軸部と、が備えられ、前記保持部材に、前記雄ねじ軸部を挿通する第二挿通部が備えられ、前記雄ねじ軸部における前記頭部に対する前記第二挿通部の反対側の部分に、前記第二挿通部よりも大きな寸法とされている第二抜け止め部が備えられていると好適である。
【００２１】
上記構成によれば、保持部材の第二挿通部に、雄ねじ部材の雄ねじ軸部が挿通され、雄ねじ部材の雄ねじ軸部において、雄ねじ部材の頭部に対する第二挿通部の反対側の部分に、第二挿通部よりも大きな寸法の第二抜け止め部が備えられる。これにより、雄ねじ軸部における雄ねじ部材の頭部と第二抜け止め部との間に位置する部分を、保持部材の第二挿通部において回動可能な状態で保持できる。
【００２２】
本発明において、前記第一抜け止め部が、前記貫通部よりも大きな寸法とされていると好適である。
【００２３】
上記構成によれば、第一抜け止め部の寸法が、貫通部の寸法よりも大きいので、第一抜け止め部が貫通部を通過することを好適に防止できる。
【図面の簡単な説明】
【００２４】
【図１】乗用型草刈機の側面図である。
【図２】第一実施形態の締結構造を備えるモーアユニットの平面図である。
【図３】第一実施形態の締結構造を拡大して示す分解斜視図である。
【図４】第一実施形態の締結構造を拡大して示す縦断面図であり、（Ａ）は、雄ねじ部材の締結時、（Ｂ）は、雄ねじ部材の締結解除時、（Ｃ）は、保持部材の起立姿勢時である。
【図５】第二実施形態の締結構造を拡大して示す分解斜視図である。
【図６】第二実施形態の締結構造を拡大して示す縦断面図であり、（Ａ）は、雄ねじ部材の締結時、（Ｂ）は、雄ねじ部材の締結解除時である。
【図７】第三実施形態の締結構造を拡大して示す分解斜視図である。
【図８】第三実施形態の締結構造を拡大して示す縦断面図であり、（Ａ）は、雄ねじ部材の締結時、（Ｂ）は、雄ねじ部材の締結解除時である。
【図９】第四実施形態の締結構造を拡大して示す斜視図である。
【図１０】第四実施形態の締結構造を拡大して示す縦断面図であり、（Ａ）は、雄ねじ部材の締結時、（Ｂ）は、雄ねじ部材の締結解除時である。
【図１１】第五実施形態の締結構造の一部を拡大して示す分解斜視図である。
【図１２】第五実施形態の締結構造の一部を拡大して示す縦断面図である。
【図１３】別実施形態の締結構造を拡大して示す斜視図である。
【図１４】別実施形態の締結構造を拡大して示す斜視図である。
【図１５】別実施形態の締結構造を拡大して示す縦断面図である。
【発明を実施するための形態】
【００２５】
以下、本発明の実施形態を図面に基づいて説明する。
［第一実施形態］
まず、本発明の第一実施形態について説明する。本発明に係る締結構造は、例えば、乗用型草刈機に備えられる。乗用型草刈機は、図１、図２に示されるように、左右一対の操向操作自在な前輪１ａと左右一対の駆動自在な後輪１ｂとによって自走する。乗用型草刈機の車体フレーム４の後半部に、運転座席４ａを有する運転部が配置されている。前輪１ａと後輪１ｂとの間の領域で、車体フレーム４からリンク機構１０を介してモーアユニット２０が吊り下げられている。車体フレーム４の前半部には、ゴムを介してエンジン５が搭載されている。
【００２６】
モーアユニット２０は、リンク機構１０の駆動により、接地ゲージ輪２５が地面に接地した下降作業状態と、各接地ゲージ輪２５が地面から上昇した上昇非作業状態と、の間で昇降可能に構成されている。
【００２７】
エンジン５の動力は、動力取り出し軸４３を介してブレード駆動機構２２に伝達される。ブレード駆動機構２２には、動力取り出し軸４３から動力が伝達される回転軸４６と、回転軸４６に連動された入力軸２２ａと、入力軸２２ａに伝達された動力によって回転される複数のプーリ７６（「回転体」の一例）と、各プーリ７６に亘って巻き掛けられるベルト７７（「回転体」の一例）と、が備えられている。プーリ７６には、ブレード７２が一体的に取り付けられている。つまり、エンジン５の動力によって、プーリ７６、ベルト７７が回転されることにより、ブレード７２が回転駆動され、草が刈られる。
【００２８】
各ブレード７２は、ブレードハウジングとしての被カバー部材Ｕの下側に備えられている。ブレード駆動機構２２は、被カバー部材Ｕの上側に備えられている。被カバー部材Ｕの上側には、ブレード駆動機構２２に備えられる「回転体」であるプーリ７６やベルト７７を、上方からカバーするカバー部材Ｃが備えられている。このカバー部材Ｃは、被カバー部材Ｕに対して、図２〜図４に示される締結構造Ａ１によって、固定、取り外しを自在に行いうるようになっている。
【００２９】
以下、特に図３、図４に示される第一実施形態の締結構造Ａ１について説明する。なお、以下の説明では、カバー部材Ｃを「第一部材」とし、被カバー部材Ｕを「第二部材」として説明する。
【００３０】
図３、図４に示されるように、締結構造Ａ１には、保持部材４０２と、雄ねじ部材４０３と、第一部材４０１に開口される第一挿通部４０１ａと、雌ねじ部材４０５と、第一部材４０１に開口される貫通部４０１ｂと、幅広部４０２ｆ（「第一抜け止め部」の一例）と、例えば、抜け止めワッシャ等で構成される第二抜け止め部４０８と、が備えられている。
【００３１】
保持部材４０２は、Ｚ字状に屈曲した単一の平板で構成される剛体で構成されている。保持部材４０２には、保持部材４０２の一端側に位置する取付部４０２ａと、第一屈曲部４０２ｂと、保持部材４０２の中央側に位置するスライド部４０２ｃと、第二屈曲部４０２ｄと、保持部材４０２の他端側に位置する延出部４０２ｅと、が備えられている。
【００３２】
雄ねじ部材４０３には、頭部４０３ａと、頭部４０３ａから延びる雄ねじ軸部４０３ｂと、が備えられている。
【００３３】
第二部材４１０には、雄ねじ部材４０３の雄ねじ軸部４０３ｂを挿通させる第三挿通部４１０ａが備えられている。第三挿通部４１０ａの径は、雄ねじ軸部４０３ｂの呼び径よりも大きな寸法とされている。
【００３４】
保持部材４０２の取付部４０２ａには、雄ねじ軸部４０３ｂを挿通する第二挿通部４０２ａａが備えられている。第二挿通部４０２ａａの径は、雄ねじ軸部４０３ｂの呼び径よりも大きな寸法とされている。
【００３５】
第二抜け止め部４０８は、雄ねじ軸部４０３ｂにおける頭部４０３ａに対する第二挿通部４０２ａａの反対側の部分に固定されている。第二抜け止め部４０８の外径は、第二挿通部４０２ａａの径よりも大きな寸法とされている。
【００３６】
このように、雄ねじ部材４０３は、保持部材４０２の一端側の取付部４０２ａに回動可能な状態で保持されるようになっている。取付部４０２ａに保持された雄ねじ部材４０３は、貫通部４０１ｂを通過しないものとなっている。
【００３７】
第一屈曲部４０２ｂは、保持部材４０２の一端側である取付部４０２ａに対して略直角に屈曲される部分である。
【００３８】
スライド部４０２ｃは、第一屈曲部４０２ｂから一端が延出される部分である。スライド部４０２ｃは、貫通部４０１ｂよりも小さな寸法とされている。スライド部４０２ｃは、貫通部４０１ｂに貫通されている。つまり、保持部材４０２は、貫通部４０１ｂに貫通されている。スライド部４０２ｃは、貫通部４０１ｂにおいてスライド可能に構成されている。そして、スライド部４０２ｃは、雄ねじ部材４０３の軸芯方向に沿って延出されている。つまり、保持部材４０２は、貫通部４０１ｂによって、雄ねじ部材４０３の軸芯方向に沿ってスライド可能に構成されている。スライド部４０２ｃの長さは、取付部４０２ａから突出する雄ねじ軸部４０３ｂの長さよりも大きな寸法とされている。
【００３９】
第二屈曲部４０２ｄは、スライド部４０２ｃの他端においてスライド部４０２ｃに対して略直角に屈曲される部分である。第二屈曲部４０２ｄからは延出部４０２ｅが延出されている。第二屈曲部４０２ｄは、保持部材４０２の一端側である取付部４０２ａから離れる側に向けて延出部４０２ｅを延出するように屈曲されている。
【００４０】
幅広部４０２ｆは、貫通部４０１ｂに対して保持部材４０２の一端側の取付部４０２ａとは反対側に位置している。言い換えれば、幅広部４０２ｆは、保持部材４０２の他端側における雄ねじ部材４０３から遠ざかる方向に延出される延出部４０２ｅの先端側に備えられている。幅広部４０２ｆは、保持部材４０２と一体になっており、剛体で構成されている。幅広部４０２ｆは、スライド部４０２ｃよりも幅広になっている。幅広部４０２ｆの長手方向の幅は、貫通部４０１ｂの長手方向の幅よりも大きな寸法とされている。このため、幅広部４０２ｆは、貫通部４０１ｂを通過せず、第一部材４０１から保持部材４０２が離脱することを防止するものとなっている。
【００４１】
第一挿通部４０１ａは、第一部材４０１に開口される孔部である。第一挿通部４０１ａには、雄ねじ部材４０３の雄ねじ軸部４０３ｂが挿通される。第一挿通部４０１ａの径は、雄ねじ軸部４０３ｂの呼び径よりも大きな寸法とされている。
【００４２】
雌ねじ部材４０５は、第二部材４１０に固定して備えられている。雌ねじ部材４０５には、雌ねじ孔４０５ａが備えられている。雄ねじ部材４０３の雄ねじ軸部４０３ｂを、雌ねじ部材４０５の雌ねじ孔４０５ａに螺進させることにより、雄ねじ部材４０３と雌ねじ部材４０５とを締結できる。また、雄ねじ部材４０３の雄ねじ軸部４０３ｂを、雌ねじ部材４０５の雌ねじ孔４０５ａから螺退させることにより、雄ねじ部材４０３と雌ねじ部材４０５とを締結解除できる。
【００４３】
図４（Ａ）に示されるように、第一部材４０１の貫通部４０１ｂによって保持部材４０２のスライド部４０２ｃを雄ねじ部材４０３の軸芯方向に沿って案内しながら、雄ねじ部材４０３を螺進させて、第二部材４１０側の雌ねじ部材４０５に締結することにより、第一部材４０１を第二部材４１０に固定できる。雄ねじ部材４０３と雌ねじ部材４０５とを締結した状態では、取付部４０２ａは、第一部材４０１と略密着するようになる。この際、保持部材４０２は、第一部材４０１の外面側に、取付部４０２ａ、第一屈曲部４０２ｂ、スライド部４０２ｃの一部のみが露出した状態となる。言い換えれば、この際、スライド部４０２ｃの一部、第二屈曲部４０２ｄ、延出部４０２ｅ、幅広部４０２ｆが、第一部材４０１の内面側に隠れ、外部から視認しにくいようになる。このため、第一部材４０１の外面側から見た美観を良好なものにできる。
【００４４】
図４（Ｂ）に示されるように、第一部材４０１と第二部材４１０とを互いに取り外す際には、第一部材４０１の貫通部４０１ｂによって保持部材４０２のスライド部４０２ｃを雄ねじ部材４０３の軸芯方向に沿って案内しながら、雄ねじ部材４０３を螺退させて、第二部材４１０側の雌ねじ部材４０５と締結解除し、第三挿通部４１０ａ、第一挿通部４０１ａから引き抜く。この際、幅広部４０２ｆが、貫通部４０１ｂを貫通しないため、保持部材４０２が、第一部材４０１から離脱せずに残る。よって、保持部材４０２に保持されている雄ねじ部材４０３が、第一部材４０１から離脱せずに残る。よって、第一部材４０１を第二部材４１０から取り外した際に、雄ねじ部材４０３が紛失することを好適に防止できる。
【００４５】
そして、図４（Ｃ）に示されるように、保持部材４０２が、Ｚ字状に屈曲されていることから、第二屈曲部４０２ｄの付近を中心に、保持部材４０２の一端側の取付部４０２ａを、第一挿通部４０１ａから離れる側に傾倒させると、第一部材４０１の外面にスライド部４０２ｃを支持させた状態にすることができる。このため、保持部材４０２の取付部４０２ａが、第一部材４０１の外面に起立した起立姿勢となるので、外観上、締結解除している雄ねじ部材４０３を容易に判別できるものとなる。
【００４６】
このような締結構造Ａ１は、例えば、第一部材４０１のうち水平状となる箇所等に備えられると好適である。
【００４７】
［第二実施形態］
以下、本発明の第二実施形態について説明する。図５、図６に示される第二実施形態の締結構造Ａ２は、主に、第一実施形態の締結構造Ａ１における保持部材４０２を、保持部材４５２に変更したものである。なお、締結構造Ａ２の構成は、以下に説明する構成以外は、第一実施形態の締結構造Ａ１の構成と同一である。
【００４８】
図５、図６に示されるように、締結構造Ａ２には、保持部材４５２と、雄ねじ部材４０３と、第一部材４０１に開口される第一挿通部４０１ａと、雌ねじ部材４０５と、第一部材４０１に開口される貫通部４０１ｂと、幅広部４５２ｆ（「第一抜け止め部」の一例）と、第二抜け止め部４０８と、が備えられている。
【００４９】
保持部材４５２は、コ字状（角ばったＣ字状）に屈曲した単一の平板で構成される剛体で構成されている。保持部材４５２には、保持部材４５２の一端側に位置する取付部４５２ａと、第一屈曲部４５２ｂと、保持部材４５２の中央側に位置するスライド部４５２ｃと、第二屈曲部４５２ｄと、保持部材４５２の他端側に位置する延出部４５２ｅと、が備えられている。
【００５０】
第二屈曲部４５２ｄは、保持部材４５２の一端側に近付く側に向けて延出部４５２ｅを延出するように屈曲されている。
【００５１】
保持部材４５２の取付部４５２ａには、雄ねじ軸部４０３ｂを挿通する第二挿通部４５２ａａが備えられている。第二挿通部４５２ａａの径は、雄ねじ軸部４０３ｂの呼び径よりも大きな寸法とされている。
【００５２】
第二抜け止め部４０８は、例えば抜け止めワッシャにより構成され、雄ねじ部材４０３の雄ねじ軸部４０３ｂにおける頭部４０３ａに対する第二挿通部４５２ａａの反対側の部分に固定されている。第二抜け止め部４０８の外径は、第二挿通部４５２ａａの径よりも大きな寸法とされている。
【００５３】
このように、雄ねじ部材４０３は、保持部材４５２の一端側の取付部４５２ａに回動可能な状態で保持されるようになっている。取付部４５２ａに保持された雄ねじ部材４０３は、貫通部４０１ｂを通過しないものとなっている。
【００５４】
第一屈曲部４５２ｂは、保持部材４５２の一端側である取付部４５２ａに対して略直角に屈曲される部分である。
【００５５】
スライド部４５２ｃは、第一屈曲部４５２ｂから一端が延出される部分である。スライド部４５２ｃは、貫通部４０１ｂよりも小さな寸法とされている。スライド部４５２ｃは、貫通部４０１ｂに貫通されている。つまり、保持部材４５２は、貫通部４０１ｂに貫通されている。スライド部４５２ｃは、貫通部４０１ｂにおいてスライド可能に構成されている。そして、スライド部４５２ｃは、雄ねじ部材４０３の軸芯方向に沿って延出されている。つまり、保持部材４５２は、貫通部４０１ｂによって、雄ねじ部材４０３の軸芯方向に沿ってスライド可能に構成されている。スライド部４５２ｃの長さは、取付部４５２ａから突出する雄ねじ軸部４０３ｂの長さよりも大きな寸法とされている。
【００５６】
第二屈曲部４５２ｄは、スライド部４５２ｃの他端においてスライド部４５２ｃに対して略直角に屈曲される部分である。第二屈曲部４５２ｄからは延出部４５２ｅが延出されている。第二屈曲部４５２ｄは、保持部材４５２の一端側である取付部４５２ａに近づく側に向けて延出部４０２ｅを延出するように屈曲されている。
【００５７】
幅広部４５２ｆは、貫通部４０１ｂに対して保持部材４５２の一端側の取付部４５２ａと同じ側に位置している。具体的には、幅広部４５２ｆは、保持部材４５２の他端側における雄ねじ部材４０３に近づく方向に延出される延出部４５２ｅの先端側に備えられている。幅広部４５２ｆは、保持部材４５２と一体になっており、剛体で構成されている。幅広部４５２ｆは、スライド部４５２ｃよりも幅広になっている。幅広部４５２ｆの長手方向の幅は、貫通部４０１ｂの長手方向の幅よりも大きな寸法とされている。このため、幅広部４５２ｆは、貫通部４０１ｂを通過せず、第一部材４０１から保持部材４５２が離脱することを防止するものとなっている。
【００５８】
図６（Ａ）に示されるように、第一部材４０１の貫通部４０１ｂによって保持部材４５２のスライド部４５２ｃを雄ねじ部材４０３の軸芯方向に沿って案内しながら、雄ねじ部材４０３を螺進させて、第二部材４１０側の雌ねじ部材４０５に締結することにより、第一部材４０１を第二部材４１０に固定できる。雄ねじ部材４０３と雌ねじ部材４０５とを締結した状態では、取付部４５２ａは、第一部材４０１と略密着するようになる。この際、保持部材４５２は、第一部材４０１の外面側に、取付部４５２ａ、第一屈曲部４５２ｂ、スライド部４５２ｃの一部のみが露出した状態となる。言い換えれば、この際、スライド部４５２ｃの一部、第二屈曲部４５２ｄ、延出部４５２ｅ、幅広部４５２ｆが、第一部材４０１の内面側に隠れ、外部から視認しにくいようになる。このため、第一部材４０１の外面側から見た美観を良好なものにできる。
【００５９】
図６（Ｂ）に示されるように、第一部材４０１と第二部材４１０とを互いに取り外す際には、第一部材４０１の貫通部４０１ｂによって保持部材４５２のスライド部４５２ｃを雄ねじ部材４０３の軸芯方向に沿って案内しながら、雄ねじ部材４０３を螺退させて、第二部材４１０側の雌ねじ部材４０５と締結解除し、第三挿通部４１０ａ、第一挿通部４０１ａから引き抜く。この際、幅広部４５２ｆが、貫通部４０１ｂを貫通しないため、保持部材４５２が、第一部材４０１から離脱せずに残る。よって、保持部材４５２に保持されている雄ねじ部材４０３が、第一部材４０１から離脱せずに残る。よって、第一部材４０１を第二部材４１０から取り外した際に、雄ねじ部材４０３が紛失することを好適に防止できる。
【００６０】
このような締結構造Ａ２は、例えば、第一部材４０１のうち垂直状となる箇所等に備えられると好適である。
【００６１】
［第三実施形態］
以下、本発明の第三実施形態について説明する。図７、図８に示される第三実施形態の締結構造Ａ３は、主に、第一実施形態の締結構造Ａ１における保持部材４０２を、保持部材５０２に変更したものである。なお、締結構造Ａ３の構成は、以下に説明する構成以外は、第一実施形態の締結構造Ａ１の構成と同一である。
【００６２】
図７、図８に示されるように、締結構造Ａ３には、保持部材５０２と、雄ねじ部材４０３と、第一部材４０１に開口される第一挿通部４０１ａと、雌ねじ部材４０５と、第一部材４０１に開口される貫通部４０１ｂと、幅広部５０２ｄ（「第一抜け止め部」の一例）と、第二抜け止め部４０８と、が備えられている。
【００６３】
保持部材５０２は、Ｌ字状に屈曲した単一の平板で構成される剛体で構成されている。保持部材５０２には、保持部材５０２の一端側に位置する取付部５０２ａと、第一屈曲部５０２ｂと、保持部材５０２の中央側に位置するスライド部５０２ｃと、が備えられている。
【００６４】
保持部材５０２の取付部５０２ａには、雄ねじ軸部４０３ｂを挿通する第二挿通部５０２ａａが備えられている。第二挿通部５０２ａａの径は、雄ねじ軸部４０３ｂの呼び径よりも大きな寸法とされている。
【００６５】
第二抜け止め部４０８は、雄ねじ軸部４０３ｂにおける頭部４０３ａに対する第二挿通部５０２ａａの反対側の部分に固定されている。第二抜け止め部４０８の外径は、第二挿通部５０２ａａの径よりも大きな寸法とされている。
【００６６】
このように、雄ねじ部材４０３は、保持部材５０２の一端側の取付部５０２ａに回動可能な状態で保持されるようになっている。取付部５０２ａに保持された雄ねじ部材４０３は、貫通部４０１ｂを通過しないものとなっている。
【００６７】
第一屈曲部５０２ｂは、保持部材５０２の一端側である取付部５０２ａに対して略直角に屈曲される部分である。
【００６８】
スライド部５０２ｃは、第一屈曲部５０２ｂから一端が延出される部分である。スライド部５０２ｃは、貫通部４０１ｂよりも小さな寸法とされている。スライド部５０２ｃは、貫通部４０１ｂに貫通されている。つまり、保持部材５０２は、貫通部４０１ｂに貫通されている。スライド部５０２ｃは、貫通部４０１ｂにおいてスライド可能に構成されている。そして、スライド部５０２ｃは、雄ねじ部材４０３の軸芯方向に沿って延出されている。つまり、保持部材５０２は、貫通部４０１ｂによって、雄ねじ部材４０３の軸芯方向に沿ってスライド可能に構成されている。スライド部５０２ｃの長さは、取付部５０２ａから突出する雄ねじ軸部４０３ｂの長さよりも大きな寸法とされている。
【００６９】
幅広部５０２ｄは、第一屈曲部５０２ｂとは反対側のスライド部５０２ｃの他端に備えられており、第一屈曲部５０２ｂとスライド部５０２ｃを結ぶ直線上に位置している。つまり、幅広部５０２ｄは、保持部材５０２と一体になっており、剛体で構成されている。幅広部５０２ｄは、スライド部４５２ｃよりも幅広になっている。幅広部５０２ｄの長手方向の幅は、貫通部４０１ｂの長手方向の幅よりも大きな寸法とされている。このため、幅広部５０２ｄは、貫通部４０１ｂを通過せず、第一部材４０１から保持部材５０２が離脱することを防止するものとなっている。
【００７０】
図８（Ａ）に示されるように、第一部材４０１の貫通部４０１ｂによって保持部材５０２のスライド部５０２ｃを雄ねじ部材４０３の軸芯方向に沿って案内しながら、雄ねじ部材４０３を螺進させて、第二部材４１０側の雌ねじ部材４０５に締結することにより、第一部材４０１を第二部材４１０に固定できる。雄ねじ部材４０３と雌ねじ部材４０５とを締結した状態では、取付部５０２ａは、第一部材４０１と略密着するようになる。この際、保持部材５０２は、第一部材４０１の外面側に、取付部５０２ａ、第一屈曲部５０２ｂ、スライド部５０２ｃの一部のみが露出した状態となる。言い換えれば、この際、スライド部５０２ｃの一部、幅広部５０２ｄが、第一部材４０１の内面側に隠れ、外部から視認しにくいようになる。このため、第一部材４０１の外面側から見た美観を良好なものにできる。
【００７１】
図８（Ｂ）に示されるように、第一部材４０１と第二部材４１０とを互いに取り外す際には、第一部材４０１の貫通部４０１ｂによって保持部材５０２のスライド部５０２ｃを雄ねじ部材４０３の軸芯方向に沿って案内しながら、雄ねじ部材４０３を螺退させて、第二部材４１０側の雌ねじ部材４０５と締結解除し、第三挿通部４１０ａ、第一挿通部４０１ａから引き抜く。この際、幅広部５０２ｄが、貫通部４０１ｂを貫通しないため、保持部材５０２が、第一部材４０１から離脱せずに残る。よって、保持部材５０２に保持されている雄ねじ部材４０３が、第一部材４０１から離脱せずに残る。よって、第一部材４０１を第二部材４１０から取り外した際に、雄ねじ部材４０３が紛失することを好適に防止できる。
【００７２】
［第四実施形態］
以下、本発明の第四実施形態について説明する。図９、図１０に示される第四実施形態の締結構造Ａ４は、第一実施形態の締結構造Ａ１における保持部材４０２、第一部材４０１、第二部材４１０を、それぞれ、保持部材５５２、第一部材５５１、第二部材５６０に変更したものである。なお、締結構造Ａ４の構成は、以下に説明する構成以外は、第一実施形態の締結構造Ａ１の構成と同一である。
【００７３】
締結構造Ａ４には、保持部材５５２と、雄ねじ部材４０３と、第一部材５５１に開口される第一挿通部５５１ａと、雌ねじ部材４０５と、保持部材５５２に開口される貫通部５５２ｂと、ガイド部材５６５の拡径部５６５ａ（「第一抜け止め部」の一例）と、第二抜け止め部４０８と、が備えられている。
【００７４】
保持部材５５２は、単一の平板で構成される剛体で構成されている。保持部材５５２には、保持部材５５２の一端側に位置する取付部５５２ａと、保持部材５５２の他端側に開口される孔部である貫通部５５２ｂと、が備えられている。保持部材５５２の取付部５５２ａには、雄ねじ軸部４０３ｂを挿通する第二挿通部５５２ａａが備えられている。第二挿通部５５２ａａの径は、雄ねじ軸部４０３ｂの呼び径よりも大きな寸法とされている。
【００７５】
第一部材５５１には、第一挿通部５５１ａが開口されている。第一部材５５１には、貫通部は備えられていなくてもよい。
【００７６】
ガイド部材５６５は、例えば、頭付きピン等によって構成されている。ガイド部材５６５には、拡径部５６５ａと、ガイド軸部５６５ｂと、が備えられている。ガイド部材５６５は、保持部材５５２の貫通部５５２ｂに、ガイド軸部５６５ｂを挿通した後、ガイド軸部５６５ｂの一端側が、第二部材５６０の外面に溶接等によって固定され、支持される。つまり、ガイド部材５６５は、保持部材５５２の貫通部５５２ｂに貫通されている。ガイド軸部５６５ｂは、貫通部５５２ｂよりも大きな寸法とされている。拡径部５６５ａは、ガイド軸部５６５ｂよりも大きな寸法とされているとともに、貫通部５５２ｂよりも小さな寸法とされている。
【００７７】
拡径部５６５ａは、貫通部５５２ｂに対して、第二部材５６０とは反対側に位置する、ガイド部材５６５の他端側に備えられている。拡径部５６５ａは、貫通部５５２ｂを通過せず、第二部材４１０から保持部材５５２が離脱することを防止するようになっている。言い換えれば、保持部材５５２は、第二部材５６０の外面と拡径部５６５ａとの間に挟まれ、ガイド軸部５６５ｂから離脱しないようになっている。
【００７８】
図１０（Ａ）に示されるように、ガイド部材５６５のガイド軸部５６５ｂによって、保持部材５５２の貫通部５５２ｂを雄ねじ部材４０３の軸芯方向に沿って案内しながら、雄ねじ部材４０３を螺進させて雌ねじ部材４０５に締結することにより、第一部材５５１を第二部材５６０に固定できる。雄ねじ部材４０３と雌ねじ部材４０５とを締結した状態では、取付部５５２ａは、第一部材５５１の外面と略密着するようになる。
【００７９】
図１０（Ｂ）に示されるように、第一部材５５１と第二部材５６０とを互いに取り外す際には、ガイド部材５６５のガイド軸部５６５ｂによって、保持部材５５２の貫通部５５２ｂを雄ねじ部材４０３の軸芯方向に沿って案内しながら、雄ねじ部材４０３を螺退させて、第二部材４１０側の雌ねじ部材４０５と締結解除し、第三挿通部５６１ａ、第一挿通部４０１ａから引き抜く。この際、拡径部５６５ａが、貫通部５５２ｂを貫通しないため、保持部材５５２が、第一部材４０１から離脱せずに残る。よって、保持部材５５２に保持されている雄ねじ部材４０３が、第二部材５６０から離脱せずに残る。よって、第一部材５５１を第二部材５６０から取り外した際に、雄ねじ部材４０３が紛失することを好適に防止できる。
【００８０】
このような締結構造Ａ４は、雄ねじ部材４０３を第二部材５６０側に離脱させずに残しておきたい場合に好適である。
【００８１】
［第五実施形態］
以下、本発明の第五実施形態について説明する。図１１、図１２に示される第五実施形態の締結構造Ａ５は、第一実施形態〜第四実施形態における雄ねじ部材４０３、保持部材の取付部、第二挿通部、第二抜け止め部４０８を、雄ねじ部材６０３、保持部材６０２の取付部６０２ａ、保持部材６０２の抜け止め孔６０２ａａに変更したものである。
【００８２】
図１１、図１２に示されるように、締結構造Ａ５における雄ねじ部材６０３には、頭部６０３ａと、頭部６０３ａから延び、雄ねじを有しない挿通軸部６０３ｂと、挿通軸部６０３ｂから延びる雄ねじ軸部６０３ｃと、が備えられている。
【００８３】
保持部材６０２の取付部６０２ａには、抜け止め孔６０２ａａが備えられている。抜け止め孔６０２ａａには、大径部と、小径部と、が備えられている。大径部の径は、雄ねじ軸部６０３ｃの外径よりも大きな寸法とされている。小径部の径は、雄ねじ軸部６０３ｃの外径よりも小さく、挿通軸部６０３ｂの径よりも大きな寸法とされている。
【００８４】
図１２に示されるように、保持部材６０２の抜け止め孔６０２ａａに、雄ねじ部材６０３の雄ねじ軸部６０３ｃから挿通軸部６０３ｂまでねじ込む。これにより、雄ねじ部材６０３における頭部６０３ａと雄ねじ軸部６０３ｃとの間に、挿通軸部６０３ｂを位置させることができる。すなわち、保持部材６０２から雄ねじ部材６０３が離脱しないようになる。
【００８５】
［別実施形態］
（１）以下、締結構造Ａ６について説明する。図１３に示される締結構造Ａ６の構成は、以下に説明する構成以外は、第一実施形態の締結構造Ａ１の構成と同一である。
【００８６】
図１３に示されるように、締結構造Ａ６には、第一部材７０１に、端部の開口されたＵ字状の切欠き部７０１ａが備えられている。また、締結構造Ａ６における雄ねじ部材７０３には、頭部７０３ａと、頭部７０３ａから延びる雄ねじ軸部７０３ｂと、雄ねじ軸部７０３ｂの先端に開口される孔部７０３ｂａと、が備えられている。第二部材７１０には、雄ねじ部材７０３の雄ねじ軸部７０３ｂを挿通させる丸孔状の第三挿通部７１０ａが備えられている。雄ねじ部材７０３は、雄ねじ軸部７０３ｂが第三挿通部７１０ａに挿通された状態で、頭部７０３ａが第二部材７１０に溶接等によって固定されている。この状態で、雄ねじ部材７０３に、回動自在な雌ねじ部材７０５が螺合され、孔部７０３ｂａに割ピン７１１が挿入されている。締結構造Ａ６では、第二部材７１０と雌ねじ部材７０５との間に、第一部材７０１を固定できるようになっている。
【００８７】
図１３に示されるように、雌ねじ部材７０５と雄ねじ部材７０３とを締結した状態では、第二部材７１０と雌ねじ部材７０５によって第一部材７０１が挟み込まれて押圧されることにより、第一部材７０１が第二部材７１０に固定される。雄ねじ部材７０３から雌ねじ部材７０５を螺退させて、雌ねじ部材７０５と雄ねじ部材７０３とを締結解除すると、第一部材７０１の切欠き部７０１ａをスライドさせて、第一部材７０１と第二部材７１０とを互いに取り外すことができる。この際、孔部７０３ｂａに割ピン７１１が挿入されているので、雌ねじ部材７０５が雄ねじ部材７０３から離脱せずに残る。このため、第一部材７０１と第二部材７１０とを互いに取り外した際に、雄ねじ部材７０３及び雌ねじ部材７０５を、第二部材４１０から離脱させずに残すことができる。
【００８８】
（２）以下、締結構造Ａ７について説明する。図１４に示される締結構造Ａ７は、上記締結構造Ａ６における雄ねじ部材７０３、割ピン７１１を、雄ねじ部材８０３、Ｅ型の止め輪８１１に変更したものである。締結構造Ａ７の構成は、以下に説明する構成以外は、上記締結構造Ａ６の構成と同一である。
【００８９】
図１４に示されるように、締結構造Ａ７における雄ねじ部材８０３には、頭部８０３ａと、頭部８０３ａから延びる雄ねじ軸部８０３ｂと、雄ねじ軸部８０３ｂの先端に形成される溝部８０３ｂａと、が備えられている。雄ねじ部材８０３は、雄ねじ軸部８０３ｂが第三挿通部７１０ａに挿通された状態で、頭部８０３ａが第二部材７１０に溶接等によって固定されている。この状態で、雄ねじ部材８０３に、回動自在な雌ねじ部材７０５が螺合され、溝部８０３ｂａに止め輪８１１が固定されている。締結構造Ａ７では、第二部材７１０と雌ねじ部材７０５との間に、第一部材７０１を固定できるようになっている。
【００９０】
図１４に示されるように、雌ねじ部材７０５と雄ねじ部材７０３とを締結した状態では、第二部材７１０と雌ねじ部材７０５によって第一部材７０１が挟み込まれて押圧されることにより、第一部材７０１が第二部材７１０に固定される。雄ねじ部材７０３から雌ねじ部材７０５を螺退させて、雌ねじ部材７０５と雄ねじ部材７０３とを締結解除すると、第一部材７０１の切欠き部７０１ａをスライドさせて、第一部材７０１と第二部材７１０とを互いに取り外すことができる。この際、溝部８０３ｂａに止め輪８１１が固定されているので、雌ねじ部材７０５が雄ねじ部材７０３から離脱せずに残る。このため、第一部材７０１と第二部材７１０とを互いに取り外した際に、雄ねじ部材７０３及び雌ねじ部材７０５を、第二部材４１０から離脱させずに残すことができる。
【００９１】
（３）以下、締結構造Ａ８について説明する。図１５に示される締結構造Ａ８は、上記締結構造Ａ７における雄ねじ部材７０３、雌ねじ部材７０５、止め輪８１１を、雄ねじ部材９０３、雌ねじ部材９０５、止め輪９１１に変更したものである。締結構造Ａ８の構成は、以下に説明する構成以外は、上記締結構造Ａ７の構成と同一である。
【００９２】
図１５に示されるように、締結構造Ａ８における雄ねじ部材９０３には、頭部９０３ａと、頭部９０３ａから延びる雄ねじ軸部９０３ｂと、雄ねじ軸部９０３ｂから延びる小径軸部９０３ｃと、小径軸部９０３ｃの先端に形成される溝部９０３ｃａと、が備えられている。雌ねじ部材９０５は、第二部材７１０の内面に溶接等により固定されている。雌ねじ部材９０５は、雌ねじ孔９０５ａが備えられている。小径軸部９０３ｃの外径は、雄ねじ軸部９０３ｂの径よりも小さくされ、かつ、雌ねじ部材９０５の雌ねじ孔９０５ａの内径よりも小さくされている。また、小径軸部９０３ｃの軸芯方向の長さは、雌ねじ部材９０５の軸心方向の長さよりも長くされている。
【００９３】
雄ねじ部材９０３は、第一部材７０１の切欠き部７０１ａ、第二部材７１０の第三挿通部７１０ａ、雌ねじ部材９０５の雌ねじ孔９０５ａに、小径軸部９０３ｃ、雄ねじ軸部９０３ｂを、雄ねじ軸部９０３ｂを雌ねじ部材９０５の雌ねじ孔９０５ａに螺進させながら挿通する。そして、小径軸部９０３ｃの先端に形成される溝部９０３ｃａに止め輪９１１が固定される。
【００９４】
このような締結構造Ａ８であれば、第一部材７０１と第二部材７１０とを固定する際は、雄ねじ部材９０３の頭部９０３ａを回して、雄ねじ部材９０３を雌ねじ部材９０５に螺進させて締結し、雄ねじ部材９０３と雌ねじ部材９０５との間に第一部材７０１と第二部材７１０とを挟んで固定できる。
【００９５】
そして、雄ねじ部材９０３と雌ねじ部材９０５とを締結解除すると、第一部材７０１を第二部材７１０から取り外すことができ、第二部材７１０に、雄ねじ部材９０３を離脱させずに残すことができる。
【００９６】
しかも、このような締結構造Ａ８であれば、雄ねじ部材９０３の頭部９０３ａを例えばインパクトレンチ等の電動工具等で回したとしても、小径軸部９０３ｃと雌ねじ部材９０５とが相対的に空転する。よって、雄ねじ部材９０３の先端の溝部９０３ｃａに固定された止め輪９１１が、雌ねじ部材９０５によって損傷されることがない。
【００９７】
なお、雄ねじ部材９０３の先端に孔部を備えて、止め輪９１１の代わりに、その孔部に割ピンを挿入して固定したものとしてもよい。
【００９８】
（４）上記各実施形態では、「回転体」の一例として、プーリ７６やベルト７７が示されているが、これに限られない。例えば、チェーン、ギヤ等の他の「回転体」であってもよい。
【００９９】
（５）上記各実施形態では、カバー部材Ｃを「第一部材」とし、被カバー部材Ｕを「第二部材」としたものが示されているが、これに限られない。被カバー部材Ｕを「第一部材」とし、カバー部材Ｃを「第二部材」としたものでもよい。
【０１００】
（６）上記各実施形態には、各締結構造Ａ１〜Ａ７のそれぞれをついて分けて説明しているが、「第一部材」と「第二部材」とに、各締結構造Ａ１〜Ａ７が組み合わせて備えられていてもよい。
【０１０１】
（７）上記各実施形態では、ミッドマウント型の乗用型草刈機に、締結構造が備えられたものを一例に示したが、これに限られない。締結構造は、例えば、フロントマウント型、リアマウント型等の他の乗用型草刈機に備えられていてもよい。
【産業上の利用可能性】
【０１０２】
本発明に係る締結構造は、上記のように、乗用型草刈機において、回転体をカバーするカバー部材と被カバー部材とを締結する箇所に利用できる他、コンバイン、トラクタ、水田作業機等の各種作業車において、回転体をカバーするカバー部材と被カバー部材とを締結する箇所にも利用できる。
【符号の説明】
【０１０３】
（第一実施形態）
７６        ：プーリ（回転体）
７７        ：ベルト（回転体）
４０１      ：第一部材
４０１ａ    ：第一挿通部
４０１ｂ    ：貫通部
４０２      ：保持部材
４０２ａａ  ：第二挿通部
４０２ｂ    ：第一屈曲部
４０２ｃ    ：スライド部
４０２ｄ    ：第二屈曲部
４０２ｅ    ：延出部
４０２ｆ    ：幅広部（第一抜け止め部）
４０３      ：雄ねじ部材
４０３ａ    ：頭部
４０３ｂ    ：雄ねじ軸部
４０５      ：雌ねじ部材
４０８      ：第二抜け止め部
４１０      ：第二部材
Ａ１        ：締結構造
Ｃ          ：カバー部材
Ｕ          ：被カバー部材
（第二実施形態）
４５２      ：保持部材
４５２ａａ  ：第二挿通部
４５２ｂ    ：第一屈曲部
４５２ｃ    ：スライド部
４５２ｄ    ：第二屈曲部
４５２ｅ    ：延出部
４５２ｆ    ：幅広部（第一抜け止め部）
Ａ２        ：締結構造
（第三実施形態）
５０２      ：保持部材
５０２ａａ    ：第二挿通部
５０２ｄ    ：幅広部（第一抜け止め部）
５５１      ：第一部材
５５１ａ    ：第一挿通部
５５２      ：保持部材
５５２ａａ  ：第二挿通部
５５２ｂ    ：貫通部
Ａ３        ：締結構造
（第四実施形態）
５６０      ：第二部材
５６５      ：ガイド部材
５６５ａ    ：拡径部（第一抜け止め部）
Ａ４        ：締結構造
（第五実施形態）
６０２      ：保持部材
６０３      ：雄ねじ部材
Ａ５        ：締結構造
【図１】
2015156808.tif 000003
【図２】
2015156808.tif 000004
【図３】
2015156808.tif 000005
【図４】
2015156808.tif 000006
【図５】
2015156808.tif 000007
【図６】
2015156808.tif 000008
【図７】
2015156808.tif 000009
【図８】
2015156808.tif 000010
【図９】
2015156808.tif 000011
【図１０】
2015156808.tif 000012
【図１１】
2015156808.tif 000013
【図１２】
2015156808.tif 000014
【図１３】
2015156808.tif 000015
【図１４】
2015156808.tif 000016
【図１５】
2015156808.tif 000017